(57)【要約】【課題】投入された正常な紙幣を紙幣受け上で揃えることができ、四つ折り紙幣が投入された場合、利用者に四つ折り紙幣を抜取らせ、伸ばして再投入できるようにする。【解決手段】折りたたまれていない正常の紙幣３のみが紙幣受入れ部２に投入された場合、シャフト９の回転により紙幣受け６に振動を与えることで桟８上の紙幣３を揃え、四つ折りの紙幣４ａが投入された場合、その紙幣４ａはシャフト９により落下を防止する。【選択図】図１
2007179289.tif 000002
【特許請求の範囲】
【請求項１】
上端を入金口とした紙幣受入れ部を有する紙幣受入れ機構において、
前記紙幣受入れ部の下端開口部の下側に、該下端開口部とほぼ同形状の枠体と、該枠体の対向する２面間に渡るように設けられた複数の桟から成る紙幣受けを設け、
モータにより回転するシャフトを前記桟と交差する方向に向けて前記枠体の下面と接触するように配置したことを特徴とする紙幣受入れ機構。
【請求項２】
上端を入金口とした紙幣受入れ部を有する紙幣受入れ機構において、
前記紙幣受入れ部の下端開口部の下側に、該下端開口部とほぼ同形状の枠体と、該枠体の対向する２面間に渡るように設けられた複数の桟から成る紙幣受けを設け、
モータにより回転するシャフトを前記桟と交差する方向に向けて前記枠体の下側に配置すると共に、該モータの回転軸またはシャフトに振動付与手段を取付け、
前記枠体にポストを設けると共に、前記枠体を一端を中心に回動可能として、前記ポストが前記振動付与手段に当接するように枠体を付勢手段により付勢したことを特徴とする紙幣受入れ機構。
【請求項３】
請求項１または請求項２に記載の紙幣受入れ機構において、
前記シャフトを弾性体で形成したことを特徴とする紙幣受入れ機構。
【請求項４】
請求項２に記載の紙幣受入れ機構において、
前記振動付与手段は歯付きプーリとしたことを特徴とする紙幣受入れ機構。
【請求項５】
上端を入金口とした紙幣受入れ部を有する紙幣受入れ機構において、
前記紙幣受入れ部の下端開口部の下側に、該下端開口部とほぼ同形状の枠体と、該枠体の対向する２面間に渡るように設けられた複数の桟から成る紙幣受けを設け、
モータの回転軸に振動付与手段を取付け、
前記枠体にポストを設けると共に、前記枠体を一端を中心に回動可能として、前記ポストが前記振動付与手段に当接するように枠体を付勢手段により付勢し、
かつ、前記桟と交差する方向に向けて前記枠体の下側にワイヤを配置したことを特徴とする紙幣受入れ機構。
【請求項６】
請求項５に記載の紙幣受入れ機構において、
前記ワイヤの少なくとも一端側にコイルスプリングを設けたことを特徴とする紙幣受入れ機構。
【発明の詳細な説明】
【技術分野】
【０００１】
本発明は、紙幣及び硬貨を取扱う現金取扱い装置における紙幣受入れ機構に関するものである。
【背景技術】
【０００２】
金融機関の店舗に設置されるＡＴＭ等のような紙幣と硬貨を取扱う現金取扱い装置は、紙幣受入れ部と硬貨受入れ部が別々に設けられているが、紙幣受入れ部に誤って硬貨等が投入されたり、折り曲げられた紙幣が投入されたりする場合もあるので、紙幣受入れ部にはこのような場合に対処するための機構が採用されている。
図５はこのような現金取扱い装置における紙幣受入れ機構の従来例を示す側断面図、図６は図５の要部斜視図である。
【０００３】
図５に示したように従来の紙幣受入れ機構は、上端の入金口に開閉可能なシャッタ１を設けた紙幣受入れ部２の下端開口部の下側に、図６に示したような２本のアーム部２１ａと２１ｂを連結部２１ｃで連結してコの字形とした第１の紙幣受け２１と、この第１の紙幣受け２１と同様に２本のアーム部２２ａと２２ｂを連結部２２ｃで連結してコの字形とかつアーム部２２ａ、２２ｂ間の幅をアーム部２１ａ、２１ｂ間の幅のより狭くした第２の紙幣受け２２を上下方向から見て櫛状を形成するように上下２段に配置すると共に、第１の紙幣受け２１と第２の紙幣受け２２の間の位置に複数のセンサ２３を設け、更に第２の紙幣受け２２の下側に異物受け皿２４を設けた構成としている。
【０００４】
この構成において、入金取引時にはシャッタ１を開いて現金取扱い装置の利用者に紙幣３を投入させるが、このとき折りたたまれていない紙幣３と共に二つに折りたたまれた紙幣４が紙幣受入れ部２に投入された場合はその入金処理ができないので、投入された紙幣３を図示しないセンサで検知するとシャッタ１を閉じ、第１の紙幣受け２１に設けられたピン２１ｄに連結されている図示しない動力源により第１の紙幣受け２１に振動を与える。
【０００５】
これにより紙幣３を揃えると共に、もし硬貨５等が誤って投入されていた場合は、その硬貨５等を第１の紙幣受け２１及び第２の紙幣受け２２のアーム部２１ａ、２１ｂ、２２ａ、２２ｂの隙間から異物受け皿２４に落下させる。
ここで、紙幣受入れ部２内に投入された紙幣が折りたたまれていない正常の紙幣３のみであれば、図示しない取込み手段により紙幣３を取込んで入金処理を行う。
【０００６】
一方、正常な紙幣３と共に二つに折りたたまれた紙幣４が投入されていた場合、その二つ折りの紙幣４は前記のように第１の紙幣受け２１に振動を与えることで、第１の紙幣受け２１のアーム部２１ａ、２１ｂ隙間から角部が落ちるが、アーム部２１ａ、２１ｂ間より幅の狭い第２の紙幣受け２２のアーム部２２ａ、２２ｂに引っ掛かって停止する。
このように第２の紙幣受け２２に引っ掛かって停止した二つ折りの紙幣４をセンサ２３で検知し、図示しない表示手段や音声案内手段等により利用者に二つ折りの紙幣４が投入されたので、その二つ折りの紙幣４を折れを戻すように伸ばして再投入するよう促す旨の通知を行ってシャッタ１を開き、紙幣４の取出し再投入を実行させるようにしている（例えば、特許文献１参照）。
【特許文献１】特開昭６３−２４１６８９号公報（第３頁左下欄第１行〜第４頁左上欄第２行、第１０頁左下欄第９行〜同頁右下欄第１０行、第５図〜第８図）
【発明の開示】
【発明が解決しようとする課題】
【０００７】
しかしながら、上述した従来の技術では以下に述べる問題がある。
図７は従来例の平面図、図８は従来例の問題点を示す要部斜視図である。
日本国の紙幣のうち、サイズが最も大きい一万円紙幣は約１６０ｍｍ×７６ｍｍ、最も小さい千円紙幣は約１５０ｍｍ×７６ｍｍであり、また日本国の硬貨でサイズが最も大きい５００円硬貨は直径が約２６.５ｍｍである。
【０００８】
前記の大きさを有する一万円紙幣を短手方向が上下方向になるように紙幣受入れ部２に収納し、また一定の余裕を持って５００円硬貨を第１の紙幣受け２１及び第２の紙幣受け２２のアーム部２１ａ、２１ｂ、２２ａ、２２ｂの隙間から落下させるには、紙幣受入れ部２、第１の紙幣受け２１、及び第２の紙幣受け２２の寸法を図７に示すようにする必要がある。
【０００９】
すなわち、紙幣受入れ部２下部の長手方向の寸法Ｂを一万円紙幣の長辺の長さを考慮して例えば１７０ｍｍとする。
また、第１の紙幣受け２１におけるアーム部２１ａ、２１ｂのぞれぞれの幅Ｄ２及び第２の紙幣受け２２におけるアーム部２２ａ、２２ｂのぞれぞれの幅Ｄ１は、硬貨を確実に落下させるためにできるだけ狭くする方がよいが、一定の強度を有する必要があるので、２ｍｍ程度にする。
【００１０】
また、アーム部２２ａと２２ｂとの間隔Ｃ１、アーム部２１ａと２２ａとの間隔及びアーム部２１ｂと２２ｂとの間隔Ｃ２、アーム部２１ａと紙幣受入れ部２との間隔及びアーム部２１ｂと紙幣受入れ部２との間隔Ｃ３は均等の間隔とすると、アーム部は４本、間隔数は５つであるので、前記各間隔Ｃ１、Ｃ２、Ｃ３は、それぞれ（１７０ｍｍ−（２ｍｍ×４））÷５＝３２.４ｍｍとなるので、最も大きい直径約２６.５ｍｍの５００円硬貨を問題なく各アーム部間の隙間を通過させることができる。
【００１１】
一方、紙幣３の厚み方向に該当する紙幣受入れ部２下部の寸法Ｌは、現金取扱い装置における１回の取扱い限度枚数（一般に１００枚程度）の紙幣１１を利用者が紙幣受入れ部２に余裕を持って投入できるように、少なくとも３５ｍｍ以上の寸法とする必要があり、従ってアーム部２１ａ、２１ｂ、２２ａ、２２ｂも長さを同程度の寸法とすれば、紙幣受入れ部２内でアーム部２１ａ、２１ｂ、２２ａ、２２ｂが形成する各矩形の対角寸法は、√（３２.４＾２＋３５ｍｍ＾２）＝約４７ｍｍとなる。
【００１２】
前記のように最小サイズの千円紙幣は長手方向が約１５０ｍｍであり、この千円紙幣が中央で二つ折りにされたとき、長さが１／２の７５ｍｍ程度になるので、前記対角寸法（約４７ｍｍ）より大きくなり、そのため千円紙幣が二つ折りの紙幣４として紙幣受入れ部２内に投入され、斜めになったとしても各アーム部間の隙間を通過することはなく、落下を防止することができるが、二つ折りの折り目とほぼ平行な折り目により四つ折りにされた紙幣の場合、約１５０ｍｍの１／４の長さの約３８ｍｍ程度になって前記対角寸法（約４７ｍｍ）より小さくなるので、図７及び図８に示したように四つ折りの紙幣４aが紙幣受入れ部２内に投入された場合、その四つ折りの紙幣４aは例えばアーム部２２ａ、２２ｂ間の隙間を通過して落下してしまい、そのため利用者が取り出せなくなるという問題がある。
【００１３】
本発明は、このような問題を解決することを課題とする。
【課題を解決するための手段】
【００１４】
そのため、本発明は、上端を入金口とした紙幣受入れ部を有する紙幣受入れ機構において、前記紙幣受入れ部の下端開口部の下側に、該下端開口部とほぼ同形状の枠体と、該枠体の対向する２面間に渡るように設けられた複数の桟から成る紙幣受けを設け、モータにより回転するシャフトを前記桟と交差する方向に向けて前記枠体の下面と接触するように配置したことを特徴とする。
【発明の効果】
【００１５】
このようにした本発明は、入金口から紙幣が投入されたとき、モータによりシャフトを回転させることで紙幣受けに振動を与えることにより桟上で紙幣を揃えることができると共に、四つ折の紙幣が投入された場合、シャフトにより落下を防止し、これにより利用者に四つ折り紙幣を抜取らせ、その四つ折りの紙幣を伸ばして再投入させることができる。
【発明を実施するための最良の形態】
【００１６】
以下、図面を参照して本発明による紙幣受入れ機構の実施例を説明する。
【実施例】
【００１７】
図１は第１の実施例を示す要部斜視図、図２は第１の実施例を示す側断面図である。
図２に示したように本実施例の紙幣受入れ機構は、従来と同様の開閉可能なシャッタ１を入金口に設けた紙幣受入れ部２を有している。
３は折りたたまれていない正常の紙幣、４aは四つ折りの紙幣、５は硬貨である。
６はこの紙幣受入れ部２の下端開口部の下側に設けた紙幣受け６で、図１に示したように枠体７と、この枠体７の対向する２面に掛け渡された複数本の桟８により構成されており、枠体７は紙幣受入れ部２の下端開口部と同等の大きさに形成されている。
【００１８】
また、桟８は紙幣受入れ部２に投入される紙幣の長手方向と略直交（交差）するように枠体７の長い方の二面間に設けられていて、各桟８の間隔、及び枠体７の短い方の面とそれに最も近い桟８との間隔は５００円硬貨の直径より大きい寸法に設定されている。
９は紙幣受け６の下側に設けたシャフトで、枠体７の短手方向の中央付近において、枠体７の下面に接触しかつ紙幣受入れ部２に投入される紙幣３の長手方向と平行につまり桟８と略直交（交差）するようにしかも枠体７の長手方向全長に亘るようにして配置されており、その一端はステッピングモータ１０の回転軸に中心を合わせて連結されている。
【００１９】
１１は発光素子と受光素子からなるセンサで、光軸を桟８と略直交（交差）するように向けて枠体７の内側に配置されている。
１２は返却ダクト、１３は回収部で、返却ダクト１２は紙幣受入れ部２と回収部１３の間に配置されている。
また、返却ダクト１２の上端側は紙幣受け６を囲うように形成されており、返却ダクト１２の下端側に位置する回収部１３は現金取扱い装置の正面に設けられ利用者が硬貨等を直接取出せるように設けられている。
【００２０】
上述した構成による第１の実施例の作用について説明する。
入金取引時にはシャッタ１を開いて現金取扱い装置の利用者に紙幣３を紙幣受入れ部２に投入させる。
投入された紙幣３は紙幣受け６の桟８で受け止められ、この紙幣を図示しないセンサで検知するとシャッタ１を閉じ、このシャッタ１が閉じられたことを図示しないセンサで検知すると、図示しない制御部がステッピングモータ１０を所定時間（例えば２秒程度）駆動してシャフト９を間欠的に回転させる。
【００２１】
このシャフト９は紙幣受け６の枠体７の下面に接触しているので、シャフト９の回転により紙幣受け６に振動が与えられ、桟８上の紙幣３が揃えられる。
この場合、投入された紙幣が折りたたまれていない正常の紙幣３のみであれば、図示しない取込み手段により紙幣３を取込んで入金処理を行う。
一方、二つ折りの折り目とほぼ平行な折り目により四つ折りにされた紙幣４ａが投入された場合、その四つ折りの紙幣４ａは振動により桟８間の隙間を通って落下しようとするが、シャフト９は桟８と直交するようにしかも枠体７の長手方向全長に亘るようにして配置されているので、紙幣４ａは図１、図２に示したようにシャフト９上に乗り、落下が防止される。
【００２２】
このように四つ折りの紙幣４ａはシャフト９により落下が防止されるので、この四つ折り紙幣４ａをセンサ１１で検知し、図示しない表示手段や音声案内手段等により利用者に四つ折りの紙幣４ａが投入されたので、その四つ折りの紙幣４ａを伸ばして再投入するよう促す旨の通知を行ってシャッタ１を開き、紙幣４ａの取出し再投入を実行させる。
尚、図示していないが二つ折りの紙幣４の場合も同様である。
【００２３】
また、紙幣３間に硬貨５が挟まった状態で誤って投入されていた場合、あるいは誤って投入された硬貨５が桟８間でシャフト９上に乗ってしまった場合、その硬貨５はシャフト９の回転により振り落とされ、返却ダクト１２の案内により回収部１３内に放出される。そして、図示しない表示手段や音声案内手段等により利用者に硬貨を返却する旨の通知が行われる。
【００２４】
尚、上記の説明では、シャフト９を桟８と直交するように配置するものとしたが、所定の角度を持って交差するように配置することも可能であり、また、シャフト９の数は１本のみでなく、複数本配置するようにしてもよく、その場合複数のシャフト９に段差ができるように高さを異ならせるようにしてもよい。
また、シャフト９はある程度の剛性を有するものであれば材質は問わないが、ゴムで形成すれば硬貨５が投入されたとき、ゴムの弾力性により硬貨５を弾いて返却ダクト１２に落下させることができ、発泡スチロールやスポンジなどの弾性体を用いても同様である。
【００２５】
また、シャフト９の形状は円柱状に限られるものではなく、断面が多角形の柱状としてもよい。
更に、上記の説明では、シャフト９の一端をステッピングモータ１０の回転軸に中心を合わせて連結することで、シャフト９をステッピングモータ１０により回転させるものとしたが、シャフト９の一端をステッピングモータ１０の回転軸に中心をずらして連結することで、シャフト９が回転軸を中心に円運動するようにしてもよく、更にまた、シャフトを回転させるモータはステッピングモータ１０に限定されるものではない。
【００２６】
以上説明したように第１の実施例では、紙幣受入れ部２の下端開口部の下側に、下端開口部と同等の大きさに形成された枠体７と、この枠体７の内側に投入紙幣の長手方向と略直交するように配置された複数本の桟８から成る紙幣受け６を設け、この紙幣受けの下側に枠体７の下面に接触しかつ桟８と交差するようにシャフト９を設けて、このシャフト９の回転により紙幣受け６に振動を与えられるようにすると共に、光軸が桟８と交差するようにしたセンサ１１を設けているため、折りたたまれていない正常の紙幣３のみが投入された場合、紙幣受け６に振動を与えることで桟８上の紙幣３を揃えることができ、四つ折の紙幣４ａが投入された場合でも、その紙幣４ａはシャフト９により落下が防止されるので、センサ１１により紙幣４ａ検知して利用者に通知し、紙幣４ａの抜き取り、伸ばしたうえでの再投入を行わせることができる。
【００２７】
図３は本発明の第２の実施例を示す斜視図である。
この第２の実施例は、紙幣受け６の枠体７の短手方向の一端両外側に支軸１４を設けて、この支軸１４を返却ダクト１２等に回転自在に取付けることにより、紙幣受け６を支軸１４を中心に回動自在に支持し、枠体７の短手方向の中央にポスト１５を設けると共に、シャフト９またはステッピングモータ１０の回転軸に振動付与手段としての歯付きプーリ１６を取付け、この歯付きプーリ１６にポスト１５が当接するように枠体７の短手方向の他端両側をコイルスプリング１７により下方に付勢したものである。
【００２８】
尚、このほかの構成は上述した第１の実施例と同様であるので、その説明を省略するが、本実施例におけるシャフト９は枠体７の下面に接触させる必要はなく、またこの第２の実施例においてもシャフト９をゴム等の弾性体で形成するものとしてもよい。
上述した構成の作用について説明する。
第１の実施例と同様に、入金取引時にはシャッタ１を開いて現金取扱い装置の利用者に紙幣３を紙幣受入れ部２に投入させる。
【００２９】
投入された紙幣３は紙幣受け６の桟８で受け止められ、この紙幣を図示しないセンサで検知するとシャッタ１を閉じ、このシャッタ１が閉じられたことを図示しないセンサで検知すると、図示しない制御部がステッピングモータ１０所定時間（例えば２秒程度）駆動してシャフト９及び歯付きプーリ１６を間欠的に回転させる。
この歯付きプーリ１６には紙幣受け６の枠体７に設けたポスト１５がコイルスプリング１７の付勢力により当接しているため、歯付きプーリ１６の歯部の凹凸によりポスト１５が上下動し、これにより紙幣受け６に振動が与えられて桟８上の紙幣３が揃えられる。
【００３０】
この場合、投入された紙幣が折りたたまれていない正常の紙幣３のみであれば、図示しない取込み手段により紙幣３を取込んで入金処理を行う。
一方、二つ折りの折り目とほぼ平行な折り目により四つ折りにされた紙幣４ａが投入された場合、その四つ折の紙幣４ａは振動により桟８間の隙間を通って落下しようとするが、第１の実施例と同様に紙幣４ａはシャフト９上に乗り、落下が防止されるので、この四つ折り紙幣４ａをセンサ１１で検知し、図示しない表示手段や音声案内手段等により利用者に四つ折りの紙幣４ａが投入されたので、その四つ折りの紙幣４ａを伸ばして再投入するよう促す旨の通知を行ってシャッタ１を開き、紙幣４ａの取出し再投入を実行させる。
【００３１】
尚、図示していないが二つ折りの紙幣４の場合も同様であり、また、紙幣３間に硬貨５が挟まった状態で誤って投入されていた場合、あるいは誤って投入された硬貨５が桟８間でシャフト９上に乗ってしまった場合、その硬貨５はシャフト９の回転により振り落とされて返却ダクト１２の案内により回収部１３内に放出され、そして、図示しない表示手段や音声案内手段等により利用者に硬貨を返却する旨の通知が行われることも第１の実施例と同様である。
【００３２】
以上説明した第２の実施例でも、第１の実施例と同様に、四つ折りの紙幣４ａの落下をシャフト９により防止し、その紙幣４ａをセンサ１１により紙幣４ａ検知して利用者に通知し、紙幣４ａを抜取らせて伸ばして再投入させることができるという効果が得られる。
図３は本発明の第３の実施例を示す斜視図である。
この第３の実施例は、第２の実施例におけるシャフト９の変わりに、ワイヤ１８を設けたものである。
【００３３】
このワイヤ１８は枠体７の下面側に桟８と交差するように配置すると共に、少なくとも一端側にコイルスプリング１９を設けて所定の張力を確保している。
尚このほかの構成は第２の実施例と同様であるので、同一の部品には同一の符号を付してその説明を省略する。
上述した構成の作用について説明する。
【００３４】
第１、第２の実施例と同様に、入金取引時にはシャッタ１を開いて現金取扱い装置の利用者に紙幣３を紙幣受入れ部２に投入させる。
投入された紙幣３は紙幣受け６の桟８で受け止められ、この紙幣を図示しないセンサで検知するとシャッタ１を閉じ、このシャッタ１が閉じられたことを図示しないセンサで検知すると、図示しない制御部がステッピングモータ１０所定時間（例えば２秒程度）駆動してシャフト９及び歯付きプーリ１６を間欠的に回転させる。
【００３５】
これにより第２の実施例と同様に紙幣受け６に振動が与えられて桟８上の紙幣３が揃えられるので、投入された紙幣が折りたたまれていない正常の紙幣３のみであれば、図示しない取込み手段により紙幣３を取込んで入金処理を行う。
一方、二つ折りの折り目とほぼ平行な折り目により四つ折りにされた紙幣４ａが投入された場合、その四つ折りの紙幣４ａは振動により桟８間の隙間を通って落下しようとするが、第１の実施例と同様に紙幣４ａはワイヤ１８上に乗り、落下が防止されるので、この四つ折りの紙幣４ａをセンサ１１で検知し、第１、第２の実施例と同様に利用者に通知を行ってシャッタ１を開き、紙幣４ａの取出し再投入を実行させる。
【００３６】
尚、図示していないが二つ折りの紙幣４の場合も同様であり、また、紙幣３間に硬貨５が挟まった状態で誤って投入されていた場合、その硬貨５は振動によりワイヤ１８に引っ掛かることなく振り落とされて返却ダクト１２の案内により回収部１３内に放出され、そして、図示しない表示手段や音声案内手段等により利用者に硬貨を返却する旨の通知が行われる。
【００３７】
以上説明した第３の実施例でも、四つ折の紙幣４ａの落下をワイヤ１８により防止し、第１、第２の実施例と同様に、その紙幣４ａをセンサ１１により紙幣４ａ検知して利用者に通知し、紙幣４ａを抜取らせて伸ばして再投入させることができるという効果が得られる。
【図面の簡単な説明】
【００３８】
【図１】第１の実施例を示す要部斜視図
【図２】第１の実施例を示す側断面図
【図３】第２の実施例を示す要部斜視図
【図４】第３の実施例を示す要部斜視図
【図５】従来例を示す側断面図
【図６】従来例の要部斜視図
【図７】従来例の平面図
【図８】従来例の問題点を示す要部斜視図
【符号の説明】
【００３９】
１    シャッタ
２    紙幣受入れ部
３    紙幣
４    二つ折りの紙幣
４ａ  四つ折りの紙幣
５    硬貨
６    紙幣受け
７    枠体
８    桟
９    シャフト
１０  ステッピングモータ
１１  センサ
１２  返却ダクト
１３  回収部
１４  支軸
１５  ポスト
１６  歯付きプーリ
１７  スプリング
１８  ワイヤ
１９  コイルスプリング
【図１】
2007179289.tif 000003
【図２】
2007179289.tif 000004
【図３】
2007179289.tif 000005
【図４】
2007179289.tif 000006
【図５】
2007179289.tif 000007
【図６】
2007179289.tif 000008
【図７】
2007179289.tif 000009
【図８】
2007179289.tif 000010